【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
コンピューティング装置に方法を実行させるためのプロセッサーによって実行可能な命令を格納している非一時的コンピューティング装置読み取り可能媒体であって、当該方法は、
治療計画において、患者の顎の複数の顎配置を特定することであって、前記複数の顎配置の各々が、前記患者の歯の少なくとも１つを再配置するための前記治療計画における複数の段階のうちの少なくとも１つの段階に対応している、ことと、
前記複数の顎配置のうちの少なくとも１つについて、取り外し可能な歯科器具の再位置決め顎エレメントの位置を決定することであって、
前記再位置決め顎エレメントが、前記取り外し可能な歯科器具から延びるように設計されており、前記取り外し可能な歯科器具が、前記患者の顎および前記患者の歯の少なくとも１つを再配置するように構成されており、
前記再位置決め顎エレメントの少なくとも１つが、前記再位置決め顎エレメントの少なくとも１つの柔軟性を低下させるように設計された特徴を備える、ことと、
前記決定された位置に応じて配置された前記再位置決め顎エレメントと前記特徴とを有する前記取り外し可能な歯科器具を作製するための指示を出力することと、
を含む、非一時的コンピューティング装置読み取り可能媒体。
【請求項２】
前記再位置決め顎エレメントの少なくとも１つが、中空スペースを備える、請求項１に記載の非一時的コンピューティング装置読み取り可能媒体。
【請求項３】
前記中空スペースは、材料で充填されるように構成されている、請求項２に記載の非一時的コンピューティング装置読み取り可能媒体。
【請求項４】
前記材料は、歯の着色材、クリア材料、アクリル、及び複合物のうちの少なくとも一つから選択される、請求項３に記載の非一時的コンピューティング装置読み取り可能媒体。
【請求項５】
前記特徴は、前記再位置決め顎エレメントの少なくとも１つに配置された傾斜面を備える、請求項１に記載の非一時的コンピューティング装置読み取り可能媒体。
【請求項６】
前記特徴は、前記再位置決め顎エレメントの少なくとも１つの上面に配置された溝を備える、請求項１に記載の非一時的コンピューティング装置読み取り可能媒体。
【請求項７】
前記特徴は、前記再位置決め顎エレメントの少なくとも１つの頬側面及び舌側面のうちの少なくとも１つに配置されたサイド溝を備える、請求項１に記載の非一時的コンピューティング装置読み取り可能媒体。
【請求項８】
前記特徴は、曲げられた側面を備える、請求項１に記載の非一時的コンピューティング装置読み取り可能媒体。
【請求項９】
前記再位置決め顎エレメントが、少なくとも第１の再位置決め顎エレメントと第２の再位置決め顎エレメントとを備え、
前記第１の再位置決め顎エレメントが、前記取り外し可能な歯科器具の上側シェルから延びるように設計されており、
前記第２の再位置決め顎エレメントが、前記取り外し可能な歯科器具の下側シェルから延びるように設計されている、請求項１に記載の非一時的コンピューティング装置読み取り可能媒体。
【請求項１０】
前記命令は、１つ以上の制約に適合するように前記再位置決め顎エレメントの前記位置を調整することを含む前記方法を実行可能である、請求項１に記載の非一時的コンピューティング装置読み取り可能媒体。
【請求項１１】
コンピューティング装置に方法を実行させるためのプロセッサーによって実行可能な命令を格納している非一時的コンピューティング装置読み取り可能媒体であって、当該方法は、
インクリメンタルな治療計画を提供することであって、前記インクリメンタルな治療計画が複数のインクリメントを備えており、前記複数のインクリメントの各々が複数の段階を備えており、
前記複数のインクリメントの各々が、患者の顎のインクリメンタルな再配置に対応し、
前記複数の段階の各々が、前記患者の歯の少なくとも１つの再配置を提供するように設計されている、ことと、
前記複数のインクリメントの少なくとも１つについて、患者の顎の顎配置を特定することと、
複数の顎配置の少なくとも１つについて、取り外し可能な歯科器具の再位置決め顎エレメントの位置を決定することであって、
前記再位置決め顎エレメントが、前記取り外し可能な歯科器具から延びるように設計されており、前記取り外し可能な歯科器具が、前記患者の顎及び前記患者の歯の少なくとも１つを再配置するように構成されている、ことと、
前記決定された位置に応じて配置された前記再位置決め顎エレメントを有する前記取り外し可能な歯科器具を作製するための指示を出力することと、
を含む、非一時的コンピューティング装置読み取り可能媒体。
【請求項１２】
前記複数のインクリメントの各インクリメントが、インクリメンタルな距離だけ前記患者の顎の位置を移動するように構成されている、請求項１１に記載の非一時的コンピューティング装置読み取り可能媒体。
【請求項１３】
前記インクリメンタルな距離は、０．１ｍｍである、請求項１２に記載の非一時的コンピューティング装置読み取り可能媒体。
【請求項１４】
前記インクリメンタルな距離は、０．５ｍｍである、請求項１２に記載の非一時的コンピューティング装置読み取り可能媒体。
【請求項１５】
前記インクリメンタルな距離は、２ｍｍである、請求項１２に記載の非一時的コンピューティング装置読み取り可能媒体。
【請求項１６】
前記インクリメンタルな距離は、３ｍｍである、請求項１２に記載の非一時的コンピューティング装置読み取り可能媒体。
【請求項１７】
前記再位置決め顎エレメントの位置が、前記インクリメンタルな治療計画の各段階のために調整される、請求項１１に記載の非一時的コンピューティング装置読み取り可能媒体。
【請求項１８】
前記再位置決め顎エレメントの位置が、前記インクリメンタルな治療計画の各インクリメントのために調整される、請求項１１に記載の非一時的コンピューティング装置読み取り可能媒体。
【請求項１９】
前記治療計画が、６か月のコースに渡る、請求項１１に記載の非一時的コンピューティング装置読み取り可能媒体。
【請求項２０】
前記顎の配置は、ずれた顎である、請求項１１に記載の非一時的コンピューティング装置読み取り可能媒体。
【請求項２１】
コンピューティング装置に方法を実行させるためのプロセッサーによって実行可能な命令を格納している非一時的コンピューティング装置読み取り可能媒体であって、当該方法は、
治療計画において、患者の顎の複数の顎配置を特定することであって、前記複数の顎配置の各々が、前記患者の歯の少なくとも１つを再配置するための前記治療計画における複数の段階のうちの少なくとも１つの段階に対応している、ことと、
前記複数の顎配置のうちの少なくとも１つについて、取り外し可能な歯科器具の再位置決め顎エレメントの位置を決定することであって、
前記再位置決め顎エレメントが、前記取り外し可能な歯科器具から延びるように設計されており、前記取り外し可能な歯科器具が、前記患者の顎および前記患者の歯の少なくとも１つを再配置するように構成されている、ことと、
前記患者の歯のデジタル表現に対する前記再位置決め顎エレメントの前記位置の視覚的表示を提供することと、
を含む、非一時的コンピューティング装置読み取り可能媒体。
【請求項２２】
前記患者の歯の前記デジタル表現が、前記複数の顎配置のうちの１つに対応している、請求項２１に記載の非一時的コンピューティング装置読み取り可能媒体。
【請求項２３】
前記患者の歯の前記デジタル表現が、スキャン装置えられる、請求項２１に記載の非一時的コンピューティング装置読み取り可能媒体。
【請求項２４】
前記視覚的表示を提供することが、前記再位置決め顎エレメントをディスプレイ装置に表示することを含む、請求項２１に記載の非一時的コンピューティング装置読み取り可能媒体。
【請求項２５】
前記視覚的表示を提供することが、前記患者の歯のデジタル表現をディスプレイ装置に表示することを含む、請求項２１に記載の非一時的コンピューティング装置読み取り可能媒体。
【請求項２６】
前記命令は、前記再位置決め顎エレメントの少なくとも１つを再配置することを含む前記方法を実行可能である、請求項２１に記載の非一時的コンピューティング装置読み取り可能媒体。
【請求項２７】
前記再配置は、ユーザ入力に少なくとも部分的に基づいて実行される、請求項２６に記載の非一時的コンピューティング装置読み取り可能媒体。
【請求項２８】
前記ユーザ入力は、前記患者の歯の前記デジタル表現に対する前記再位置決め顎エレメントの少なくとも１つの位置調整を提供する、請求項２７に記載の非一時的コンピューティング装置読み取り可能媒体。
【請求項２９】
前記命令は、前記再位置決め顎エレメントの少なくとも１つの形状、サイズ、または向きを調整することを含む前記方法を実行可能である、請求項２１に記載の非一時的コンピューティング装置読み取り可能媒体。
【請求項３０】
前記調整は、ユーザ入力に少なくとも部分的に基づいて実行される、請求項２９に記載の非一時的コンピューティング装置読み取り可能媒体。
【請求項３１】
コンピューティング装置に方法を実行させるためのプロセッサーによって実行可能な命令を格納している非一時的コンピューティング装置読み取り可能媒体であって、当該方法は、
患者の顎を目標位置に再配置するために前記患者に治療計画を提供することであって、前記治療計画は、前記患者の歯の少なくとも１つを再配置するための複数の段階を含む、ことと、
前記治療計画において、前記患者の顎の複数の顎配置を特定することであって、前記複数の顎配置の各々が、前記複数の段階のうちの少なくとも１つの段階に対応している、ことと、
前記複数の顎配置のうちの少なくとも１つについて、取り外し可能な歯科器具の再位置決め顎エレメントの位置を決定することであって、
前記物理的な顎エレメントが、前記取り外し可能な歯科器具から延びるように設計されており、前記取り外し可能な歯科器具が、前記患者の顎および前記患者の歯の少なくとも１つを再配置するように構成されており、
前記再位置決め顎エレメントの位置を決定することが、１つ以上の所定の制約に従うことを含む、ことと、
前記決定された位置に応じて配置された前記再位置決め顎エレメントを有する前記取り外し可能な歯科器具を作製するための指示を出力することと、
を含む、非一時的コンピューティング装置読み取り可能媒体。
【請求項３２】
前記１つ以上の所定の制約は、現在の歯の配列、現在の顎の位置、および患者の予測される矯正された顎の位置に関連して、前記再位置決め顎エレメントの配置及び向きの物理的な限界または制限を含む、請求項３１に記載の非一時的コンピューティング装置読み取り可能媒体。
【請求項３３】
前記１つ以上の所定の制約は、前記再位置決め顎エレメントのインターフェースの傾斜が、前記患者の咬合平面標準に平行の閾値角度内であることを含む、請求項３１に記載の非一時的コンピューティング装置読み取り可能媒体。
【請求項３４】
前記１つ以上の所定の制約は、前記再位置決め顎エレメントが、前記患者の歯に適用されたときに、前記患者の歯の後側または前側から視認したときに交差することを含む、請求項３１に記載の非一時的コンピューティング装置読み取り可能媒体。
【請求項３５】
前記治療計画を提供することは、前記複数の段階における段階の数を決定することをさらに含む、請求項３１に記載の非一時的コンピューティング装置読み取り可能媒体。
【請求項３６】
前記命令は、前記患者の顎の位置ずれを特定することを含む前記方法を実行可能である、請求項３１に記載の非一時的コンピューティング装置読み取り可能媒体。
【請求項３７】
前記命令は、前記患者の顎の位置ずれの入力を受信することを含む前記方法を実行可能である、請求項３１に記載の非一時的コンピューティング装置読み取り可能媒体。
【請求項３８】
前記命令は、前記患者の顎の前記目標位置を決定することを含む前記方法を実行可能である、請求項３１に記載の非一時的コンピューティング装置読み取り可能媒体。
【請求項３９】
前記命令は、前記患者の顎の前記目標位置に対応する入力を受信することを含む前記方法を実行可能である、請求項３１に記載の非一時的コンピューティング装置読み取り可能媒体。